(57)【要約】【課題】印刷出力先の画像形成装置として複数の候補がある場合において、印刷出力先としてユーザが所望する画像形成装置と、実際に印刷出力が行なわれる画像形成装置との対応付けを容易に行なうことができる画像形成装置、携帯端末装置、情報処理装置、画像形成システム及びプログラムを提供する。【解決手段】画像形成装置４は、ＵＩ装置２０と、印刷装置２２と、ＵＩ装置２０に認証情報を表示するよう制御する表示制御部３６と、ＵＩ装置２０に表示された認証情報と、予め定められた範囲内に存在する携帯端末装置が取得した取得情報とが予め定められた関係を満たした場合に、受信した画像データを前記印刷手段により印刷するよう制御する印刷制御部４４とを有する。【選択図】図１０
2014180792.tif 000002
【特許請求の範囲】
【請求項１】
表示手段と、
印刷手段と、
前記表示手段に認証情報を表示するよう制御する表示制御手段と、
前記表示制御手段による制御により前記表示手段に表示された認証情報と、予め定められた範囲内に存在する携帯端末装置が取得した取得情報とが予め定められた関係を満たした場合に、受信した画像データを前記印刷手段により印刷するよう制御する印刷制御手段と
を有する画像形成装置。
【請求項２】
前記印刷制御手段は、前記表示制御手段による制御により前記表示手段に表示された認証情報と、予め定められた範囲内に存在する携帯端末装置が該携帯端末装置に対する操作による入力によって取得した取得情報とが予め定められた関係を満たした場合に、受信した画像データを印刷するよう制御する
請求項１記載の画像形成装置。
【請求項３】
前記印刷制御手段は、前記表示制御手段による制御により前記表示手段に表示された認証情報と、前記携帯端末装置が選択肢から選択する操作による入力によって取得した取得情報とが予め定められた関係を満たした場合に、受信した画像データを印刷するよう制御する
請求項２記載の画像形成装置。
【請求項４】
前記印刷制御手段は、前記表示制御手段による制御により前記表示手段に表示された認証情報と、予め定められた範囲内に存在する携帯端末装置に設けられた撮像手段又は受光手段による該携帯端末装置への入力によって該携帯端末装置が取得した取得情報とが予め定められた関係を満たした場合に、受信した画像データを印刷するよう制御する
請求項１記載の画像形成装置。
【請求項５】
前記印刷制御手段は、前記表示制御手段による制御により前記表示手段に表示された認証情報と、予め定められた範囲内に存在する携帯端末装置が取得した取得情報とが予め定められた関係を満たし、かつ、該携帯端末装置を識別する識別情報又は使用者を識別する識別情報が予め定められた識別情報である場合に、受信した画像データを印刷するよう制御する
請求項１乃至４いずれか記載の画像形成装置。
【請求項６】
位置情報を送信する位置情報送信手段と、
前記位置情報送信手段により送信された位置情報で示される位置から予め定められた範囲内に存在する画像形成装置に表示された認証情報に関する情報を取得する認証情報取得手段と、
前記認証情報取得手段により取得された認証情報に関する情報を送信する認証情報送信手段と
を有し、
前記画像形成装置は、前記認証情報送信手段により送信された認証情報に関する情報と前記表示された認証情報とが予め定められた関係を満たした場合に、受信した画像データを印刷するものである
携帯端末装置。
【請求項７】
印刷対象の画像データを記憶する記憶手段と、
携帯端末装置の位置情報を受信する位置情報受信手段と、
前記位置情報受信手段により受信した位置情報に基づいて、前記携帯端末装置から予め定められた範囲内の画像形成装置を特定する画像形成装置特定手段と、
前記画像形成装置特定手段により特定された画像形成装置に前記記憶手段に記憶された画像データを送信する画像送信手段と、
前記携帯端末装置が取得した認証情報に関する情報を受信する認証情報受信手段と、
前記画像形成装置特定手段により特定された画像形成装置に表示された認証情報と、前記認証情報受信手段により受信した認証に関する情報とが予め定められた関係を満たすか否かを判定する判定手段と、
前記判定手段により予め定められた関係を満たすと判定された場合に、前記画像形成装置に対し、前記画像送信手段により送信された画像データの印刷を許可する印刷許可手段と
を有する情報処理装置。
【請求項８】
情報処理装置と、携帯端末装置と、画像形成装置とを備え、
前記情報処理装置は、
印刷対象の画像データを記憶する記憶手段と、
前記携帯端末装置の位置情報を受信する位置情報受信手段と、
前記位置情報受信手段により受信した位置情報に基づいて、前記携帯端末装置から予め定められた範囲内の前記画像形成装置を特定する画像形成装置特定手段と、
前記画像形成装置特定手段により特定された画像形成装置に前記記憶手段に記憶された画像データを送信する画像送信手段と、
前記携帯端末装置が取得した認証情報に関する情報を受信する認証情報受信手段と、
前記画像形成装置特定手段により特定された画像形成装置に表示された認証情報と、前記認証情報受信手段により受信した認証に関する情報とが予め定められた関係を満たすか否かを判定する判定手段と、
前記判定手段により予め定められた関係を満たすと判定された場合に、前記画像形成装置に対し、前記画像送信手段により送信された画像データの印刷を許可する印刷許可手段と
を有し、
前記携帯端末装置は、
位置情報を送信する位置情報送信手段と、
前記画像形成装置に表示された認証情報に関する情報を取得する認証情報取得手段と、
前記認証情報取得手段により取得された認証情報に関する情報を送信する認証情報送信手段と
を有し、
前記画像形成装置は、
表示手段と、
印刷手段と、
前記表示手段に認証情報を表示するよう制御する表示制御手段と、
前記情報処理装置から画像データを受信する画像受信手段と、
前記情報処理装置の前記印刷許可手段により印刷が許可された場合に、前記画像受信手段により受信した画像データを前記印刷手段により印刷するよう制御する印刷制御手段と
を有する画像形成システム。
【請求項９】
認証情報を表示するよう制御する表示制御ステップと、
前記表示制御ステップでの制御により表示手段に表示された認証情報と、予め定められた範囲内に存在する携帯端末装置が取得した取得情報とが予め定められた関係を満たした場合に、受信した画像データを印刷手段により印刷するよう制御する印刷制御ステップと
をコンピュータに実行させるプログラム。
【請求項１０】
位置情報を送信する位置情報送信ステップと、
前記位置情報送信ステップで送信された位置情報で示される位置から予め定められた範囲内に存在する画像形成装置に表示された認証情報に関する情報を取得する認証情報取得ステップと、
前記認証情報取得ステップで取得された認証情報に関する情報を送信する認証情報送信ステップと
をコンピュータに実行させ
前記画像形成装置は、前記認証情報送信ステップで送信された認証情報に関する情報と前記表示された認証情報とが予め定められた関係を満たした場合に、受信した画像データを印刷するものである
プログラム。
【請求項１１】
携帯端末装置の位置情報を受信する位置情報受信ステップと、
前記位置情報受信ステップで受信した位置情報に基づいて、前記携帯端末装置から予め定められた範囲内の画像形成装置を特定する画像形成装置特定ステップと、
前記画像形成装置特定ステップで特定された画像形成装置に画像データを送信する画像送信ステップと、
前記携帯端末装置が取得した認証情報に関する情報を受信する認証情報受信ステップと、
前記画像形成装置特定ステップで特定された画像形成装置に表示された認証情報と、前記認証情報受信ステップで受信した認証に関する情報とが予め定められた関係を満たすか否かを判定する判定ステップと、
前記判定ステップで予め定められた関係を満たすと判定された場合に、前記画像形成装置に対し、前記画像送信ステップで送信された画像データの印刷を許可する印刷許可ステップと
をコンピュータに実行させるプログラム。
【発明の詳細な説明】
【技術分野】
【０００１】
本発明は、画像形成装置、携帯端末装置、情報処理装置、画像形成システム及びプログラムに関する。
【背景技術】
【０００２】
特許文献１は、さまざまな拠点に存在する画像形成装置をネットワーク接続する環境と、上記ネットワークに接続されている画像形成装置の位置情報とを管理するシステムにおいて、携帯端末またはＧＰＳ装置から現在位置を取得する現在位置取得手段と、上記ネットワークに接続されている画像形成装置の位置情報を、ネットワーク上で扱う位置情報に変換する位置情報変換手段と、位置情報を登録管理する位置情報登録管理手段と、所定の位置情報に基づいて、最寄りの画像形成装置を検索する画像形成装置検索手段と、を有し、上記携帯端末の所在から最寄りの画像形成装置を自動的に検索し、検索された画像形成装置に、画像出力することを特徴とする画像形成システムについて開示している。
【０００３】
また、引用文献１では、上記画像形成装置を検索する際に、検索元となる位置座標をもつデバイスが、通信可能なデバイスである場合に、出力画像データを転送する際に、認証コードとして、上記デバイスの通信用特定コードを付加する通信用特定コード付加手段と、上記通信用特定コードを入力すると、画像出力する画像出力手段と、を有し、上記画像形成装置から出力画像を取得する際に、上記通信用特定コードの入力を必要とすることを特徴とする画像形成システムについても開示している。
【先行技術文献】
【特許文献】
【０００４】
【特許文献１】特開２００２−２４４８３１号公報
【発明の概要】
【発明が解決しようとする課題】
【０００５】
本発明の目的は、印刷出力先の画像形成装置として複数の候補がある場合において、印刷出力先としてユーザが所望する画像形成装置と、実際に印刷出力が行なわれる画像形成装置との対応付けを容易に行なうことができる画像形成装置、携帯端末装置、情報処理装置、画像形成システム及びプログラムを提供することである。
【課題を解決するための手段】
【０００６】
請求項１に係る本発明は、表示手段と、印刷手段と、前記表示手段に認証情報を表示するよう制御する表示制御手段と、前記表示制御手段による制御により前記表示手段に表示された認証情報と、予め定められた範囲内に存在する携帯端末装置が取得した取得情報とが予め定められた関係を満たした場合に、受信した画像データを前記印刷手段により印刷するよう制御する印刷制御手段とを有する画像形成装置である。
【０００７】
請求項２に係る本発明は、前記印刷制御手段は、前記表示制御手段による制御により前記表示手段に表示された認証情報と、予め定められた範囲内に存在する携帯端末装置が該携帯端末装置に対する操作による入力によって取得した取得情報とが予め定められた関係を満たした場合に、受信した画像データを印刷するよう制御する請求項１記載の画像形成装置である。
【０００８】
請求項３に係る本発明は、前記印刷制御手段は、前記表示制御手段による制御により前記表示手段に表示された認証情報と、前記携帯端末装置が選択肢から選択する操作による入力によって取得した取得情報とが予め定められた関係を満たした場合に、受信した画像データを印刷するよう制御する請求項２記載の画像形成装置である。
【０００９】
請求項４に係る本発明は、前記印刷制御手段は、前記表示制御手段による制御により前記表示手段に表示された認証情報と、予め定められた範囲内に存在する携帯端末装置に設けられた撮像手段又は受光手段による該携帯端末装置への入力によって該携帯端末装置が取得した取得情報とが予め定められた関係を満たした場合に、受信した画像データを印刷するよう制御する請求項１記載の画像形成装置である。
【００１０】
請求項５に係る本発明は、前記印刷制御手段は、前記表示制御手段による制御により前記表示手段に表示された認証情報と、予め定められた範囲内に存在する携帯端末装置が取得した取得情報とが予め定められた関係を満たし、かつ、該携帯端末装置を識別する識別情報又は使用者を識別する識別情報が予め定められた識別情報である場合に、受信した画像データを印刷するよう制御する請求項１乃至４いずれか記載の画像形成装置である。
【００１１】
請求項６に係る本発明は、位置情報を送信する位置情報送信手段と、前記位置情報送信手段により送信された位置情報で示される位置から予め定められた範囲内に存在する画像形成装置に表示された認証情報に関する情報を取得する認証情報取得手段と、前記認証情報取得手段により取得された認証情報に関する情報を送信する認証情報送信手段とを有し、前記画像形成装置は、前記認証情報送信手段により送信された認証情報に関する情報と前記表示された認証情報とが予め定められた関係を満たした場合に、受信した画像データを印刷するものである携帯端末装置である。
【００１２】
請求項７に係る本発明は、印刷対象の画像データを記憶する記憶手段と、携帯端末装置の位置情報を受信する位置情報受信手段と、前記位置情報受信手段により受信した位置情報に基づいて、前記携帯端末装置から予め定められた範囲内の画像形成装置を特定する画像形成装置特定手段と、前記画像形成装置特定手段により特定された画像形成装置に前記記憶手段に記憶された画像データを送信する画像送信手段と、前記携帯端末装置が取得した認証情報に関する情報を受信する認証情報受信手段と、前記画像形成装置特定手段により特定された画像形成装置に表示された認証情報と、前記認証情報受信手段により受信した認証に関する情報とが予め定められた関係を満たすか否かを判定する判定手段と、前記判定手段により予め定められた関係を満たすと判定された場合に、前記画像形成装置に対し、前記画像送信手段により送信された画像データの印刷を許可する印刷許可手段とを有する情報処理装置である。
【００１３】
請求項８に係る本発明は、情報処理装置と、携帯端末装置と、画像形成装置とを備え、前記情報処理装置は、印刷対象の画像データを記憶する記憶手段と、前記携帯端末装置の位置情報を受信する位置情報受信手段と、前記位置情報受信手段により受信した位置情報に基づいて、前記携帯端末装置から予め定められた範囲内の前記画像形成装置を特定する画像形成装置特定手段と、前記画像形成装置特定手段により特定された画像形成装置に前記記憶手段に記憶された画像データを送信する画像送信手段と、前記携帯端末装置が取得した認証情報に関する情報を受信する認証情報受信手段と、前記画像形成装置特定手段により特定された画像形成装置に表示された認証情報と、前記認証情報受信手段により受信した認証に関する情報とが予め定められた関係を満たすか否かを判定する判定手段と、前記判定手段により予め定められた関係を満たすと判定された場合に、前記画像形成装置に対し、前記画像送信手段により送信された画像データの印刷を許可する印刷許可手段とを有し、前記携帯端末装置は、位置情報を送信する位置情報送信手段と、前記画像形成装置に表示された認証情報に関する情報を取得する認証情報取得手段と、前記認証情報取得手段により取得された認証情報に関する情報を送信する認証情報送信手段とを有し、前記画像形成装置は、表示手段と、印刷手段と、前記表示手段に認証情報を表示するよう制御する表示制御手段と、前記情報処理装置から画像データを受信する画像受信手段と、前記情報処理装置の前記印刷許可手段により印刷が許可された場合に、前記画像受信手段により受信した画像データを前記印刷手段により印刷するよう制御する印刷制御手段とを有する画像形成システムである。
【００１４】
請求項９に係る本発明は、認証情報を表示するよう制御する表示制御ステップと、前記表示制御ステップでの制御により表示手段に表示された認証情報と、予め定められた範囲内に存在する携帯端末装置が取得した取得情報とが予め定められた関係を満たした場合に、受信した画像データを印刷手段により印刷するよう制御する印刷制御ステップとをコンピュータに実行させるプログラムである。
【００１５】
請求項１０に係る本発明は、位置情報を送信する位置情報送信ステップと、前記位置情報送信ステップで送信された位置情報で示される位置から予め定められた範囲内に存在する画像形成装置に表示された認証情報に関する情報を取得する認証情報取得ステップと、前記認証情報取得ステップで取得された認証情報に関する情報を送信する認証情報送信ステップとをコンピュータに実行させ前記画像形成装置は、前記認証情報送信ステップで送信された認証情報に関する情報と前記表示された認証情報とが予め定められた関係を満たした場合に、受信した画像データを印刷するものであるプログラムである。
【００１６】
請求項１１に係る本発明は、携帯端末装置の位置情報を受信する位置情報受信ステップと、前記位置情報受信ステップで受信した位置情報に基づいて、前記携帯端末装置から予め定められた範囲内の画像形成装置を特定する画像形成装置特定ステップと、前記画像形成装置特定ステップで特定された画像形成装置に画像データを送信する画像送信ステップと、前記携帯端末装置が取得した認証情報に関する情報を受信する認証情報受信ステップと、前記画像形成装置特定ステップで特定された画像形成装置に表示された認証情報と、前記認証情報受信ステップで受信した認証に関する情報とが予め定められた関係を満たすか否かを判定する判定ステップと、前記判定ステップで予め定められた関係を満たすと判定された場合に、前記画像形成装置に対し、前記画像送信ステップで送信された画像データの印刷を許可する印刷許可ステップとをコンピュータに実行させるプログラムである。
【発明の効果】
【００１７】
請求項１に係る本発明によれば、本構成を有しない場合に比較して、印刷出力先の画像形成装置として複数の候補がある場合において、印刷出力先としてユーザが所望する画像形成装置と、実際に印刷出力が行なわれる画像形成装置との対応付けを容易に行なうことができる画像形成装置を提供することができる。
【００１８】
請求項２に係る本発明によれば、請求項１に係る本発明の効果に加え、本構成を有しない場合に比較して、確実に対応付けを行なうことができる画像形成装置を提供することができる。
【００１９】
請求項３に係る本発明によれば、請求項２に係る本発明の効果に加え、本構成を有しない場合に比較して、容易に対応付けを行なうことができる画像形成装置を提供することができる。
【００２０】
請求項４に係る本発明によれば、請求項１に係る本発明の効果に加え、本構成を有しない場合に比較して、容易に対応付けを行なうことができる画像形成装置を提供することができる。
【００２１】
請求項５に係る本発明によれば、請求項１乃至４いずれかに係る本発明の効果に加え、誤った使用者に印刷出力が提供されることを防ぐことができる画像形成装置を提供することができる。
【００２２】
請求項６に係る本発明によれば、本構成を有しない場合に比較して、印刷出力先の画像形成装置として複数の候補がある場合において、印刷出力先としてユーザが所望する画像形成装置と、実際に印刷出力が行なわれる画像形成装置との対応付けを容易に行なうことができる携帯端末装置を提供することができる。
【００２３】
請求項７に係る本発明によれば、本構成を有しない場合に比較して、印刷出力先の画像形成装置として複数の候補がある場合において、印刷出力先としてユーザが所望する画像形成装置と、実際に印刷出力が行なわれる画像形成装置との対応付けを容易に行なうことができる情報処理装置を提供することができる。
【００２４】
請求項８に係る本発明によれば、本構成を有しない場合に比較して、印刷出力先の画像形成装置として複数の候補がある場合において、印刷出力先としてユーザが所望する画像形成装置と、実際に印刷出力が行なわれる画像形成装置との対応付けを容易に行なうことができる画像形成システムを提供することができる。
【００２５】
請求項９に係る本発明によれば、本構成を有しない場合に比較して、印刷出力先の画像形成装置として複数の候補がある場合において、印刷出力先としてユーザが所望する画像形成装置と、実際に印刷出力が行なわれる画像形成装置との対応付けを容易に行なうことができるプログラムを提供することができる。
【００２６】
請求項１０に係る本発明によれば、本構成を有しない場合に比較して、印刷出力先の画像形成装置として複数の候補がある場合において、印刷出力先としてユーザが所望する画像形成装置と、実際に印刷出力が行なわれる画像形成装置との対応付けを容易に行なうことができるプログラムを提供することができる。
【００２７】
請求項１１に係る本発明によれば、本構成を有しない場合に比較して、印刷出力先の画像形成装置として複数の候補がある場合において、印刷出力先としてユーザが所望する画像形成装置と、実際に印刷出力が行なわれる画像形成装置との対応付けを容易に行なうことができるプログラムを提供することができる。
【図面の簡単な説明】
【００２８】
【図１】本発明の実施形態に係る画像形成システム２を示す模式図である。
【図２】画像形成装置４のハードウェア構成を示すブロック図である。
【図３】プログラムが実行されることにより実現される画像形成装置４の機能構成を示すブロック図である。
【図４】携帯端末装置６のハードウェア構成を示す図である。
【図５】プログラムが実行されることにより実現される携帯端末装置６の機能構成を示すブロック図である。
【図６】情報処理装置８のハードウェア構成を示すブロック図である。
【図７】プログラムが実行されることにより実現される情報処理装置８の機能構成を示すブロック図である。
【図８】画像形成装置４に表示された認証情報と携帯端末装置６が取得する認証情報に関する情報についての第一例を示す模式図であり、（ａ）は、画像形成装置４のＵＩ装置２０に表示される画面を例示し、（ｂ）は、携帯端末装置６のＵＩ部５８に表示される画面を例示している。
【図９】画像形成装置４に表示された認証情報と携帯端末装置６が取得する認証情報に関する情報についての第二例を示す模式図であり、（ａ）は、画像形成装置４のＵＩ装置２０に表示される画面を例示し、（ｂ）は、携帯端末装置６のＵＩ部５８に表示される画面を例示している。
【図１０】画像形成システム２において印刷が実行されるまでの動作を説明するシーケンスチャートである。
【発明を実施するための形態】
【００２９】
本発明の実施形態について図面を参照して説明する。
図１は、本発明の実施形態に係る画像形成システム２を示す模式図である。図１に示すように、画像形成システム２は、ｎ台の画像形成装置４−１〜４−ｎ（ただし、ｎは、１以上の自然数である。）と、使用者ごとに携帯される
携帯端末装置６と、情報処理装置８とを備えており、それぞれインターネットなどのネットワーク１０に接続されている。例えば、画像形成装置４−１〜４−ｎは、地理的に離れた異なる店舗などに配置されている。ただし、画像形成装置４−１〜４−ｎのうち複数の画像形成装置が、同一の店舗に例えば並べて配置されていてもよい。なお、以下の説明では、画像形成装置４−１〜４−ｎのうちいずれかを特定せずに示す場合には、単に「画像形成装置４」のように略記する。
【００３０】
画像形成装置４は、情報処理装置８から送信された印刷データを受け付けて、印刷データに応じた画像を記録媒体上に形成する。なお、画像形成装置４は、印刷（プリント）機能のほかに、スキャン機能、複写（コピー）機能、ファクシミリ機能等の複数の機能を有するいわゆる複合機と呼ばれる装置であってもよい。
【００３１】
図２は、画像形成装置４のハードウェア構成を示すブロック図である。
【００３２】
画像形成装置４は、図２に示されるように、ＣＰＵ１２、メモリ１４、ハードディスクドライブ（ＨＤＤ）等の記憶装置１６、ネットワーク１０を介して他の装置等との間でデータの送信及び受信を行う通信インタフェース（ＩＦ）１８、ユーザインタフェース（ＵＩ）装置２０、画像を記録媒体に形成する印刷装置２２を有する。これらの構成要素は、制御バス２４を介して互いに接続されている。
【００３３】
ＣＰＵ１２は、メモリ１４または記憶装置１６に格納されたプログラムに基づいて所定の処理を実行して、画像形成装置４の動作を制御する。なお、本実施形態では、ＣＰＵ１２は、メモリ１４または記憶装置１６内に格納されたプログラムを読み出して実行するものとして説明したが、当該プログラムをＣＤ−ＲＯＭ等の記憶媒体に格納してＣＰＵ１２に提供することも可能である。ＵＩ装置２０は、例えばタッチパネルとして構成されており、使用者からの操作入力を受付ける入力受付装置及び画面に情報を表示する表示装置としての機能を備えている。
【００３４】
図３は、上記のプログラムが実行されることにより実現される画像形成装置４の機能構成を示すブロック図である。
【００３５】
本実施形態の画像形成装置４は、図３に示されるように、状態通知部３０と、ジョブ識別情報受信部３２と、認証情報生成部３４と、表示制御部３６と、認証情報送信部３８と、画像受信部４０と、印刷許可情報受信部４２と、印刷制御部４４とを備えている。
【００３６】
状態通知部３０は、画像形成装置４の動作状態を情報処理装置８へ通知する。状態通知部３０は、例えば、印刷処理を実行可能な状態であるか、装置に異常が発生している状態であるかなどの状態を通知する。状態通知部３０は、例えば、印刷処理などの処理を現在実行中である場合には、他の印刷処理を実行可能ではない旨の通知を行なう。また、状態通知部３０は、例えば、故障状態である場合には、故障中である旨の通知を行なう。
【００３７】
ジョブ識別情報受信部３２は、印刷ジョブを識別する識別情報を情報処理装置８から受信する。本実施形態では、ジョブ識別情報受信部３２は、識別情報として印刷ジョブＩＤを受信する。
【００３８】
認証情報生成部３４は、ＵＩ装置２０に表示する認証情報を生成する。本実施形態では、認証情報生成部３４は、印刷ジョブごとに異なる認証情報を生成する構成を一例として説明するが、認証情報生成部３４は、携帯端末装置６と画像形成装置４との対応付けに用いるための任意の情報を生成すればよく、画像形成装置４ごとに異なる認証情報（各画像形成装置４に固有の認証情報）を生成してもよいし、使用者ごとに異なる認証情報（各使用者に固有の認証情報）を生成してもよい。
【００３９】
表示制御部３６は、表示装置としてのＵＩ装置２０に、認証情報を表示するよう制御する。本実施形態では、表示制御部３６は、認証情報生成部３４により生成された認証情報を表示するよう制御する。
【００４０】
認証情報送信部３８は、認証情報を情報処理装置８へ送信する。本実施形態では、認証情報送信部３８は、認証情報生成部３４により生成された認証情報とジョブ識別情報受信部３２により受信した印刷ジョブＩＤとを対応付け、いずれの印刷ジョブＩＤについての認証情報であるかが情報処理装置８側で確認できるように送信する。
【００４１】
画像受信部４０は、情報処理装置８から印刷対象の画像データを受信する。
【００４２】
印刷許可情報受信部４２は、印刷処理を実行してもよいか否かについての指示を情報処理装置８から受信する。
【００４３】
印刷制御部４４は、印刷許可情報受信部４２により印刷許可の指示を受信した場合、画像受信部４０が受信した画像データを印刷装置２２により印刷するよう制御する。具体的には、印刷制御部４４は、表示制御部３６による制御により表示された認証情報と、予め定められた範囲内に存在する携帯端末装置６が取得した取得情報である表示制御部３６による制御により表示された認証情報に関する情報と、が予め定められた関係を満たした場合に、画像受信部４０が受信した画像データを印刷装置２２により印刷するよう制御する。本実施形態では、予め定められた関係を満たしたか否かについては、後述する通り情報処理装置８が判定し、予め定められた関係を満たしたと判定された場合には、情報処理装置８から画像形成装置４に対し、印刷許可の指示が送られる。
【００４４】
次に携帯端末装置６について説明する。
携帯端末装置６は、画像形成装置４による印刷の際、使用者により携帯される端末装置であり、例えば、ＰＤＡ（Personal Digital Assistant）、スマートフォン、携帯電話などとして構成されている。
【００４５】
図４は、携帯端末装置６のハードウェア構成を示す図である。
携帯端末装置６は、図４に示されるように、ＣＰＵ５０、メモリ５２、ハードディスクドライブ（ＨＤＤ）等の記憶部５４、ネットワーク１０を介して他の装置等との間でデータの送信及び受信を行う通信インタフェース（ＩＦ）５６、例えばタッチパネルにより構成されるユーザインタフェース（ＵＩ）部５８、例えばカメラにより構成される撮像部６０、ＧＰＳ（global positioning system）などにより自装置の位置を計測する位置計測部６２を有する。これらの構成要素は、制御バス６４を介して互いに接続されている。なお、本実施形態では、携帯端末装置６は、撮像部６０を備えるものとして説明するが、画像形成装置４に表示された認証情報を、ＵＩ装置５８を介して取得する場合には、撮像部６０は設けなくてもよい。
【００４６】
ＣＰＵ５０は、メモリ５２または記憶部５４に格納されたプログラムに基づいて処理を実行して、携帯端末装置６の動作を制御する。なお、本実施形態では、ＣＰＵ５０は、メモリ５２または記憶部５４内に格納されたプログラムを読み出して実行するものとして説明したが、当該プログラムをＣＤ−ＲＯＭ等の記憶媒体に格納してＣＰＵ５０に提供することも可能であるし、通信ＩＦ５６を介してＣＰＵ５０に提供することも可能である。
【００４７】
図５は、上記のプログラムが実行されることにより実現される携帯端末装置６の機能構成を示すブロック図である。
【００４８】
本実施形態の携帯端末装置６は、図５に示されるように、端末識別情報送信部７０と、データ一覧受信部７２と、印刷対象選択部７４と、印刷指示送信部７６と、位置情報取得部７８と、位置情報送信部８０と、ジョブ識別情報受信部８２と、認証情報取得部８４と、認証情報送信部８６と備えている。
【００４９】
端末識別情報送信部７０は、携帯端末装置６を識別する識別情報を情報処理装置８へ送信する。本実施形態では、端末識別情報送信部７０は、携帯端末装置６に固有の端末ＩＤを情報処理装置８へ送信する。
【００５０】
データ一覧受信部７２は、当該携帯端末装置６の使用者が予め情報処理装置８に登録した画像データの一覧を、情報処理装置８より受信する。
【００５１】
印刷対象選択部７４は、予め情報処理装置８に登録された画像データのうち印刷対象とする画像データを選択する。印刷対象選択部７４は、例えば、データ一覧受信部７２により受信した画像データの一覧をＵＩ装置５８に表示し、使用者からの選択操作の入力をＵＩ装置５８を介して受付けて印刷対象の画像データを選択する。
【００５２】
印刷指示送信部７６は、印刷対象選択部７４により選択された画像データの印刷を指示する命令を情報処理装置８に送信する。
【００５３】
位置情報取得部７８は、携帯端末装置６の位置情報を取得する。本実施形態では、位置情報取得部７８は、位置計測部６２が計測した位置情報を取得する。
【００５４】
位置情報送信部８０は、位置情報取得部７８が取得した位置情報を情報処理装置８へ送信する。
【００５５】
ジョブ識別情報受信部８２は、印刷指示送信部７６により送信された命令により指示した印刷についての印刷ジョブを識別する識別情報を情報処理装置８から受信する。本実施形態では、ジョブ識別情報受信部８２は、識別情報として印刷ジョブＩＤを受信する。
【００５６】
認証情報取得部８４は、画像形成装置４に表示された認証情報に関する情報を取得する。具体的には、携帯端末装置６の存在位置（位置情報送信部８０により送信された位置情報で示される位置）から予め定められた範囲内に存在する画像形成装置４のＵＩ装置２０に表示された認証情報に関する情報を取得する。ここで、認証情報に関する情報とは、画像形成装置４のＵＩ装置２０に表示された認証情報の内容と同じ内容の情報又は画像形成装置４のＵＩ装置２０に表示された認証情報の内容に対応する内容の情報をいう。
【００５７】
認証情報取得部８４は、例えば、認証情報に関する情報を、使用者からのＵＩ装置５８を介した入力操作によって取得する。この場合、使用者は、予め定められた範囲内に存在する画像形成装置４のＵＩ装置２０に表示された認証情報の内容と同じ内容又は対応する内容の情報をＵＩ装置５８を操作して入力し、認証情報取得部８４は、ＵＩ装置５８を介して入力された認証情報に関する情報を取得する。なお、認証情報に関する情報の取得についての詳細は、後述する。
【００５８】
また、認証情報取得部８４は、ＵＩ装置５８を介した入力操作に限らず、他の方法により認証情報に関する情報を取得してもよい。例えば、認証情報取得部８４は、認証情報に関する情報を、撮像部６０を介した入力によって取得してもよい。この場合、使用者は、認証情報が表示されている画像形成装置４のＵＩ装置２０にカメラを向けて撮像し、認証情報取得部８４は、撮像部６０を介して入力された認証情報に関する情報を取得する。
【００５９】
具体的には、例えば、画像形成装置４の表示制御部３６は、バーコード、ＱＲコード（Ｑｕｉｃｋ Ｒｅｓｐｏｎｓｅ ｃｏｄｅ：登録商標）などのコード画像からなる認証情報をＵＩ装置２０に表示し、携帯端末装置６の認証情報取得部８４は、撮像部６０が撮像したコード画像から認証情報を取得してもよい。
【００６０】
また、この他にも、例えば、認証情報取得部８４は、図示しないフォトダイオードなどの受光装置を介した入力により認証情報に関する情報を取得してもよい。具体的には、例えば、画像形成装置４の表示制御部３６は、認証情報を可視光通信により送信するようＵＩ装置２０に表示し、携帯端末装置６の認証情報取得部８４は、受光装置が受光することにより受信した認証情報を取得してもよい。なお、受光装置としてカメラを用いてもよい。
【００６１】
認証情報送信部８６は、認証情報取得部８４が取得した認証情報に関する情報を情報処理装置８へ送信する。本実施形態では、認証情報送信部３８は、認証情報取得部８４が取得した認証情報に関する情報とジョブ識別情報受信部８２により受信した印刷ジョブＩＤとを対応付け、いずれの印刷ジョブＩＤについての認証情報に関する情報であるかが情報処理装置８側で確認できるように送信する。
【００６２】
次に情報処理装置８について説明する。
情報処理装置８は、複数の画像形成装置４のうち使用者が画像データの出力先として訪れた画像形成装置４に対し、予め記憶されている画像データを送信し、使用者が訪れた画像形成装置４における印刷出力を可能にする。
【００６３】
図６は、情報処理装置８のハードウェア構成を示すブロック図である。
【００６４】
情報処理装置８は、例えばサーバとして構成されており、図６に示されるように、ＣＰＵ９０、メモリ９２、ハードディスクドライブ（ＨＤＤ）等の記憶装置９４、ネットワーク１０を介して他の装置等との間でデータの送信及び受信を行う通信インタフェース（ＩＦ）９６、タッチパネル又は液晶ディスプレイ並びにキーボードを含むユーザインタフェース（ＵＩ）装置９８を有する。これらの構成要素は、制御バス１００を介して互いに接続されている。
【００６５】
ＣＰＵ９０は、メモリ９２または記憶装置９４に格納されたプログラムに基づいて処理を実行して、情報処理装置８の動作を制御する。なお、本実施形態では、ＣＰＵ９０は、メモリ９２または記憶装置９４内に格納されたプログラムを読み出して実行するものとして説明したが、当該プログラムをＣＤ−ＲＯＭ等の記憶媒体に格納してＣＰＵ９０に提供することも可能であるし、通信ＩＦ９６を介してＣＰＵ９０に提供することも可能である。
【００６６】
図７は、上記のプログラムが実行されることにより実現される情報処理装置８の機能構成を示すブロック図である。
【００６７】
本実施形態の情報処理装置８は、図７に示されるように、端末識別情報受信部１０２と、使用者情報記憶部１０４と、使用者特定部１０６と、画像データ記憶部１０８と、データ一覧送信部１１０と、位置情報受信部１１２と、配置情報記憶部１１４と、状態受信部１１６と、画像形成装置特定部１１８と、印刷指示受信部１２０と、画像送信部１２２と、ジョブ識別情報生成部１２４と、ジョブ識別情報送信部１２６と、生成認証情報受信部１２８と、取得認証情報受信部１３０と、判定部１３２と、印刷許可情報送信部１３４とを備えている。
【００６８】
端末識別情報受信部１０２は、携帯端末装置６を識別する識別情報を携帯端末装置６から受信する。本実施形態では、端末識別情報送信部７０は、携帯端末装置６に固有の端末ＩＤを携帯端末装置６から受信する。
【００６９】
使用者情報記憶部１０４は、使用者についての情報を記憶している。本実施形態では、使用者情報記憶部１０４は、使用者ごとに、使用者の識別情報である使用者ＩＤと、当該使用者が画像形成装置４による印刷の際に携帯する携帯端末装置６の端末ＩＤとを対応付けて記憶している。
【００７０】
使用者特定部１０６は、端末識別情報受信部１０２により受信した携帯端末装置６の識別情報と対応付けられている使用者を特定する。具体的には、使用者特定部１０６は、端末識別情報受信部１０２により受信した携帯端末装置６の識別情報を使用者情報記憶部１０４に記憶されている情報から検索し、当該携帯端末装置６の識別情報に対応付けられた使用者の識別情報を特定する。
【００７１】
画像データ記憶部１０８は、使用者により印刷対象として登録された画像データを記憶している。本実施形態では、画像データ記憶部１０８は、登録した使用者の識別情報と対応付けて画像データを記憶している。
【００７２】
データ一覧送信部１１０は、使用者特定部１０６により特定された使用者が印刷対象として予め登録した画像データの一覧を送信する。本実施形態では、データ一覧送信部１１０は、画像データ記憶部１０８に記憶されている情報から、使用者特定部１０６により特定された使用者の識別情報に対応付けられている画像データを検索し、検索結果を、端末識別情報受信部１０２により識別情報が受信された携帯端末装置６に対して送信する。
【００７３】
位置情報受信部１１２は、携帯端末装置６から送信された位置情報を受信する。
【００７４】
配置情報記憶部１１４は、画像形成システム２を構成する画像形成装置４ごとの配置場所の位置情報を記憶する。本実施形態では、配置情報記憶部１１４は、予め登録された各画像形成装置４の位置情報を記憶しているが、例えば、画像形成装置４にＧＰＳなどの位置計測部を設け、この位置計測部により計測された位置情報を画像形成装置４から適宜受信して記憶してもよい。
【００７５】
状態受信部１１６は、画像形成装置４から当該画像形成装置４の動作状態についての通知を受信する。
【００７６】
画像形成装置特定部１１８は、端末識別情報受信部１０２により識別情報を受信した携帯端末装置６から予め定められた範囲内に存在する画像形成装置４を特定する。本実施形態では、画像形成装置特定部１１８は、位置情報受信部１１２により受信した位置情報に基づいて、当該携帯端末装置６の最寄りに存在すると推定される画像形成装置４を特定する。
【００７７】
具体的には、画像形成装置特定部１１８は、まず、位置情報受信部１１２により受信した位置情報に示される位置から予め定められた範囲内に存在する画像形成装置４を配置情報記憶部１１４に記憶されている情報の中から検索する。例えば、同じ店舗内に複数の画像形成装置４が配置されている場合には、複数の画像形成装置４が検索されることとなる。次に、検索された画像形成装置４について、状態受信部１１６が受信した動作状態により、現在、新たな印刷処理を実行可能な状態であるかを確認し、新たな印刷処理を実行可能な状態でない画像形成装置４を除外する。例えば、他の使用者により使用されている画像形成装置４は除外される。そして、残った画像形成装置４の中から１台の画像形成装置４を特定する。なお、残った画像形成装置４の中から１台の画像形成装置４を特定する際は、携帯端末装置６との距離が最も小さい画像形成装置４を特定することが好ましいが、任意の１台を特定してもよい。
【００７８】
印刷指示受信部１２０は、印刷対象の画像データの指定及び当該画像データの印刷指示を受信する。
【００７９】
画像送信部１２２は、画像データ記憶部１０８に記憶されている、印刷指示受信部１２０で印刷が指示された画像データを、画像形成装置特定部１１８により特定された画像形成装置４に対して送信する。
【００８０】
ジョブ識別情報生成部１２４は、印刷指示受信部１２０で印刷が指示された画像データについての印刷ジョブを識別する識別情報である印刷ジョブＩＤを生成する。
【００８１】
ジョブ識別情報送信部１２６は、ジョブ識別情報生成部１２４により生成された印刷ジョブＩＤを、画像形成装置特定部１１８により特定された画像形成装置４及び端末識別情報受信部１０２により識別情報を受信した携帯端末装置６に送信する。
【００８２】
生成認証情報受信部１２８は、画像形成装置特定部１１８により特定された画像形成装置４から認証情報を受信する。本実施形態では、生成認証情報受信部１２８は、印刷ジョブＩＤとともに認証情報を受信する。
【００８３】
取得認証情報受信部１３０は、端末識別情報受信部１０２により識別情報を受信した携帯端末装置６から認証情報に関する情報を受信する。本実施形態では、取得認証情報受信部１３０は、印刷ジョブＩＤとともに認証情報に関する情報を受信する。
【００８４】
判定部１３２は、画像形成装置特定部１１８により特定された画像形成装置４に表示された認証情報と、取得認証情報受信部１３０により受信した認証に関する情報とが予め定められた関係を満たすか否かを判定する。本実施形態では、判定部１３２は、印刷ジョブＩＤが共通する認証情報及び認証情報に関する情報について、生成認証情報受信部１２８により受信した認証情報と、取得認証情報受信部１３０により受信した認証情報に関する情報とが、予め定められた関係を満たすか否かを判定する。ここで、予め定められた関係としては、例えば、両情報が一致する関係、両情報が互いに対応している関係などが含まれる。
【００８５】
印刷許可情報送信部１３４は、画像形成装置特定部１１８により特定された画像形成装置４による印刷出力を許可するか否かの情報を画像形成装置特定部１１８により特定された画像形成装置４に対して送信する。印刷許可情報送信部１３４は、判定部１３２により、画像形成装置特定部１１８により特定された画像形成装置４に表示された認証情報と、取得認証情報受信部１３０により受信した認証に関する情報とが予め定められた関係を満たすと判定された場合に、当該画像形成装置４による印刷出力を許可する旨を指示する情報を送信し、それ以外の場合には、印刷を許可しない旨を指示する情報を送信する。
【００８６】
次に、携帯端末装置６において行なわれる認証情報に関する情報の取得の一例について説明する。
【００８７】
図８は、画像形成装置４に表示された認証情報と携帯端末装置６が取得する認証情報に関する情報についての第一例を示す模式図であり、図８（ａ）は、画像形成装置４のＵＩ装置２０に表示される画面を例示し、図８（ｂ）は、携帯端末装置６のＵＩ部５８に表示される画面を例示している。
【００８８】
図８（ａ）に示されるように、画像形成装置４の表示制御部３６は、ＵＩ装置２０に数字などの文字列からなる認証情報（この例では、文字列「０７１１」）を表示するよう制御する。これに対し、図８（ｂ）に示されるように、携帯端末装置６では、使用者からの操作入力により画像形成装置４に表示された認証情報と同じ内容である文字列「０７１１」が取得される。一方、情報処理装置８では、画像形成装置４に表示された認証情報と携帯端末装置６が取得した認証情報とが一致する関係にあることから、判定部１３２は、予め定められた関係が満たされると判定する。
【００８９】
また、図８（ａ）に示されるように、画像形成装置４の表示制御部３６は、ＵＩ装置２０に、印刷の中止をする指示を受け付ける画像１４０を表示してもよい。また、図８（ｂ）に示されるように、携帯端末装置６においても、印刷の中止をする指示を受け付ける画像１４２を表示してもよい。ここで、画像１４２が使用者により選択された場合には、情報処理装置８において画像形成装置特定部１１８が他の画像形成装置４を特定しなおしてもよい。なお、画像１４２の他に、画像形成装置４の再特定の指示を受付ける画像を別途設けてもよい。例えば、同一店舗内に複数の画像形成装置４が並んで配置されている場合、画像形成装置特定部１１８は、使用者が印刷出力先として選んだ画像形成装置４とは異なる画像形成装置４を特定してしまう可能性がある。このような場合、使用者が、画像形成装置４の再特定を指示することにより、情報処理装置８は、画像形成装置４を再度特定するよう構成してもよい。
【００９０】
図９は、画像形成装置４に表示された認証情報と携帯端末装置６が取得する認証情報に関する情報についての第二例を示す模式図であり、図９（ａ）は、画像形成装置４のＵＩ装置２０に表示される画面を例示し、図９（ｂ）は、携帯端末装置６のＵＩ部５８に表示される画面を例示している。
【００９１】
図９（ａ）に示されるように、画像形成装置４の表示制御部３６は、ＵＩ装置２０に対象物が描かれた画像からなる認証情報（この例では、花が描かれた画像）を表示するよう制御する。これに対し、図９（ｂ）携帯端末装置６では、使用者からの操作入力により画像形成装置４に表示された認証情報が意味する内容と同じである文字「花」が取得される。ここでは、携帯端末装置６には、文字「花」のほかに、他の文字も選択肢として表示され、使用者は、これらの文字のうち、画像形成装置４に表示された画像に描かれている対象物と同じ意味の文字列を選択する操作入力を行なう。なお、携帯端末装置６に表示されるこれら選択肢を含む表示情報は、例えば、画像形成装置４から認証情報を受信した情報処理装置８が携帯端末装置６に配信する。一方、情報処理装置８では、画像形成装置４に表示された認証情報と携帯端末装置６が取得した認証情報との観念が同じであり、互いに対応する関係にあることから、判定部１３２は、予め定められた関係が満たされると判定する。
【００９２】
なお、この他にも例えば、画像形成装置４の認証情報として質問を表示し、携帯端末装置６がこの質問についての答えを取得するよう構成してもよい。この場合、判定部１３２は、答えが正しいとき、両者が互いに対応する関係にあるとして、予め定められた関係が満たされると判定する。
【００９３】
このように、画像形成システム２では、情報処理装置８の画像形成装置特定部１１８で特定した画像形成装置４が、印刷出力先として使用者が選択した画像形成装置４であることが確認される。また、認証情報が、その場で提示されるため、使用者は予め認証情報を控えておく必要がない。
【００９４】
次に、画像形成システム２における、印刷が実行されるまでの各装置の動作について説明する。
図１０は、画像形成システム２において印刷が実行されるまでの動作を説明するシーケンスチャートである。
【００９５】
ステップ１００（Ｓ１００）において、使用者は、画像形成装置４において印刷する画像データを情報処理装置８に登録し、情報処理装置８は、登録された画像データを記憶する。その後、使用者が、画像形成システム２に含まれる画像形成装置４のうち、所望の画像形成装置４の元へと移動する。
【００９６】
ステップ１０２（Ｓ１０２）において、使用者により、図５に示す機能を実現するアプリケーションが携帯端末装置６において起動される。
【００９７】
ステップ１０４（Ｓ１０４）において、携帯端末装置６の端末識別情報送信部７０が、情報処理装置８へと携帯端末装置６の端末ＩＤを送信し、情報処理装置８では、端末識別情報受信部１２０が端末ＩＤを受信する。
【００９８】
ステップ１０６（Ｓ１０６）において、情報処理装置８では、使用者特定部１０６が、受信した端末ＩＤに対応する使用者ＩＤを検索し、使用者を特定する。なお、受信した端末ＩＤに対応する使用者ＩＤが存在しない場合には、携帯端末装置６に使用者情報の登録を促す表示を行なうよう構成してもよい。
【００９９】
ステップ１０８（Ｓ１０８）において、情報処理装置８では、データ一覧送信部１１０がステップ１０６で特定した使用者に対応付けられている画像データを検索する。なお、ステップ１０６で特定した使用者に対応付けられている画像データが存在しない場合には、携帯端末装置６に画像データが見つからない旨の表示を行なうよう構成してもよい。
【０１００】
ステップ１１０（Ｓ１１０）において、情報処理装置８では、データ一覧送信部１１０が、ステップ１０８の検索で見つかった画像データの一覧を、上述の端末ＩＤの携帯端末装置６に対して送信する。一方、携帯端末装置６では、データ一覧受信部７２がこの一覧を受信する。
【０１０１】
ステップ１１２（Ｓ１１２）において、携帯端末装置６では、印刷対象選択部７４が、ＵＩ装置５８に表示された一覧に対する使用者の選択操作に基づいて、印刷対象の画像データを選択する。
【０１０２】
ステップ１１４（Ｓ１１４）において、携帯端末装置６では、印刷指示送信部７６が、ステップ１１２で選択された画像データの印刷を指示する命令を情報処理装置８に送信し、情報処理装置８では、印刷指示受信部１２０がこの命令を受信する。
【０１０３】
ステップ１１６（Ｓ１１６）において、携帯端末装置６では、位置情報取得部７８が位置情報を取得する。
【０１０４】
ステップ１１８（Ｓ１１８）において、携帯端末装置６では、位置情報送信部８０がステップ１１６で取得した位置情報を情報処理装置８へ送信し、情報処理装置８では、位置情報受信部１１２が位置情報を受信する。
【０１０５】
ステップ１２０（Ｓ１２０）において、情報処理装置８では、画像形成装置特定部１１８が、受信した位置情報に示される位置から予め定められた範囲内に存在する画像形成装置４を配置情報記憶部１１４に記憶されている情報の中から検索する。なお、予め定められた範囲内に画像形成装置４が存在しない場合には、携帯端末装置６において、再試行又は画像形成装置４の元への移動を促す表示を行なうよう構成してもよい。
【０１０６】
ステップ１２２（Ｓ１２２）において、情報処理装置８では、画像形成装置特定部１１８が、ステップ１２０による検索で見つけられた画像形成装置４の中から、新たな印刷処理を実行可能な状態である画像形成装置４を状態受信部１１６が受信した動作状態に基づいて検索する。なお、新たな印刷処理を実行可能な状態である画像形成装置４が存在しない場合には、携帯端末装置６において、再試行又は画像形成装置４の元への移動を促す表示を行なうよう構成してもよい。
【０１０７】
ステップ１２４（Ｓ１２４）において、情報処理装置８では、画像形成装置特定部１１８が、ステップ１２２で見つかった画像形成装置４の中から１台の画像形成装置４を特定する。
【０１０８】
ステップ１２６（Ｓ１２６）において、情報処理装置８では、画像送信部１２２が、画像データ記憶部１０８に記憶されている画像データを、ステップ１２４により特定された画像形成装置４に対して送信する。ステップ１２４により特定された画像形成装置４では、画像受信部４０が、情報処理装置８から送信された画像データを受信する。
【０１０９】
ステップ１２８（Ｓ１２８）において、情報処理装置８では、ジョブ識別情報生成部１２４が、印刷ジョブＩＤを生成する。
【０１１０】
ステップ１３０（Ｓ１３０）において、情報処理装置８では、ジョブ識別情報送信部１２６が、ステップ１２８で生成された印刷ジョブＩＤを、ステップ１２４で特定された画像形成装置４及びステップ１０４で受信した端末ＩＤの携帯端末装置６に送信する。一方、画像形成装置４、携帯端末装置６では、ジョブ識別情報受信部３２、ジョブ識別情報受信部８２が情報処理装置８から送信された印刷ジョブＩＤを受信する。
【０１１１】
ステップ１３２（Ｓ１３２）において、ステップ１３０で印刷ジョブＩＤを受信した画像形成装置４では、認証情報生成部３４が、ＵＩ装置２０に表示する認証情報を生成する。
【０１１２】
ステップ１３４（Ｓ１３４）において、画像形成装置４では、ステップ１３２で生成された認証情報が表示制御部３６によってＵＩ装置２０に表示される。
【０１１３】
ステップ１３６（Ｓ１３６）において、画像形成装置４では、認証情報送信部３８が、ステップ１３２で生成された認証情報を印刷ジョブＩＤと対応付けて、情報処理装置８へ送信する。情報処理装置８では、生成認証情報受信部１２８が、画像形成装置４から送信された認証情報を受信する。
【０１１４】
ステップ１３８（Ｓ１３８）において、携帯端末装置６では、認証情報に関する情報の入力画面をＵＩ装置５８に表示される。
【０１１５】
ステップ１４０（Ｓ１４０）において、例えば、使用者が、画像形成装置４に表示された認証情報をＵＩ装置５８により入力し、携帯端末装置６では、認証情報取得部８４が、認証情報に関する情報を取得する。
【０１１６】
ステップ１４２（Ｓ１４２）において、携帯端末装置６では、認証情報送信部８６が、ステップ１４０で取得した認証情報に関する情報をステップ１３０で受信した印刷ジョブＩＤと対応付けて、情報処理装置８へ送信する。情報処理装置８では、取得認証情報受信部１３０が、携帯端末装置６から送信された認証情報に関する情報を受信する。
【０１１７】
ステップ１４４（Ｓ１４４）において、情報処理装置８では、判定部１３２が、ステップ１３６で受信した認証情報と、ステップ１４２で受信した認証情報に関する情報とが予め定められた関係を満たすか否かを判定する。なお、両情報が予め定められた関係を満たさない場合には、携帯端末装置６に、認証情報に関する情報の再取得を促す表示を行なうよう構成してもよい。
【０１１８】
ステップ１４６（Ｓ１４６）において、情報処理装置８では、印刷許可情報送信部１３４が、印刷出力を許可するか否かの情報を画像形成装置４に対して送信する。その際、ステップ１４４で両情報が予め定められた関係を満たすと判定された場合には、当該画像形成装置４による印刷出力を許可する旨を指示する情報を送信し、それ以外の場合には、印刷を許可しない旨を指示する情報を送信する。一方、画像形成装置４では、印刷許可情報受信部４２が、情報処理装置８から送信された情報を受信する。なお、両情報が予め定められた関係を満たし、かつ、認証情報に関する情報の送信元の携帯端末装置６の端末ＩＤ又は使用者ＩＤが、ステップ１３０で印刷ジョブＩＤの送信先の携帯端末装置６の端末ＩＤ又は使用者ＩＤである場合に、印刷出力を許可する旨を指示する情報を送信するよう構成してもよい。この場合、例えば、他の使用者が認証情報に関する情報を当該他の使用者の携帯端末装置６から送信しても、印刷出力はなされない。
【０１１９】
ステップ１４８（Ｓ１４８）において、画像形成装置４では、ステップ１４６で印刷許可の指示を受信した場合、印刷制御部４４が、ステップ１２６で受信した画像データを印刷するよう制御する。
このようにして、画像形成装置４による印刷出力が行なわれる。
【０１２０】
以上説明した実施形態では、認証情報の生成を画像形成装置４が行なう構成について示したが、認証情報の生成は、情報処理装置８において生成し、情報処理装置８から画像形成装置４へと認証情報が配信されてもよい。また、画像形成装置４が表示した認証情報と、携帯端末装置６が取得した認証情報に関する情報とが予め定められた関係を満たすか否かの判定について、情報処理装置８ではなく画像形成装置４において行ってもよい。
【０１２１】
また、以上説明した実施形態では、画像形成装置特定部１１８が、ステップ１２４において１台の画像形成装置４を特定する構成を示したが、画像形成装置特定部１１８は、携帯端末装置６の位置から予め定められた範囲内の位置にある画像形成装置４が複数存在する場合には、当該複数の画像形成装置４を特定してもよい。例えば、同一の店舗内に複数の画像形成装置４が並んで配置されている場合、これらの画像形成装置４を、使用者により使用される可能性のある画像形成装置として特定してもよい。また、この場合、特定された複数の画像形成装置４は、それぞれ異なる認証情報を表示する。このようにすることで、使用される可能性のあると特定された画像形成装置４のうち、使用者が選んだ画像形成装置４がいずれであるかがシステム側で正しく把握される。
【符号の説明】
【０１２２】
２          画像形成システム
４          画像形成装置
６          携帯端末装置
８          情報処理装置
２０        ＵＩ装置
２２        印刷装置
３０        状態通知部
３２        ジョブ識別情報受信部
３４        認証情報生成部
３６        表示制御部
３８        認証情報送信部
４０        画像受信部
４２        印刷許可情報受信部
４４        印刷制御部
６０        撮像部
６２        位置計測部
７０        端末識別情報送信部
７２        データ一覧受信部
７４        印刷対象選択部
７６        印刷指示送信部
７８        位置情報取得部
８０        位置情報送信部
８２        ジョブ識別情報受信部
８４        認証情報取得部
８６        認証情報送信部
１０２      端末識別情報受信部
１０４      使用者情報記憶部
１０６      使用者特定部
１０８      画像データ記憶部
１１０      データ一覧送信部
１１２      位置情報受信部
１１４      配置情報記憶部
１１６      状態受信部
１１８      画像形成装置特定部
１２０      印刷指示受信部
１２２      画像送信部
１２４      ジョブ識別情報生成部
１２６      ジョブ識別情報送信部
１２８      生成認証情報受信部
１３０      取得認証情報受信部
１３２      判定部
１３４      印刷許可情報送信部
【図１】
2014180792.tif 000003
【図２】
2014180792.tif 000004
【図３】
2014180792.tif 000005
【図４】
2014180792.tif 000006
【図５】
2014180792.tif 000007
【図６】
2014180792.tif 000008
【図７】
2014180792.tif 000009
【図８】
2014180792.tif 000010
【図９】
2014180792.tif 000011
【図１０】
2014180792.tif 000012